(57)【要約】【課題】工程数を増加させることなく太陽電池の反りを低減することができるインターコネクタ付き太陽電池および太陽電池ストリング、ならびに太陽電池モジュールを提供する。【解決手段】太陽電池の第１接続部にインターコネクタが接続されたインターコネクタ付き太陽電池であって、バスバー電極は第１接続部の間に第１非接続部が配置された構成を有しており、第１接続部と第１非接続部とはバスバー電極の長手方向に直交する方向に交互に配列され、インターコネクタは、インターコネクタの長手方向に垂直な断面の断面積が局所的に小さくなっている複数の小断面積部と小断面積部の間に位置する非小断面積部とを有しており、小断面積部は第１非接続部に配置されているインターコネクタ付き太陽電池および太陽電池ストリング、ならびにその太陽電池ストリングを含む太陽電池モジュールである。【選択図】図５
2007250623.tif 000002
【特許請求の範囲】
【請求項１】
インターコネクタに接続するための第１接続部とインターコネクタに接続されない第１非接続部とからなるバスバー電極と、前記バスバー電極から伸びるフィンガー電極と、を半導体基板の第１主面上に備えた太陽電池を含み、前記太陽電池の前記第１接続部にインターコネクタが接続されたインターコネクタ付き太陽電池であって、
前記バスバー電極は前記第１接続部の間に前記第１非接続部が配置された構成を有しており、
前記第１接続部と前記第１非接続部とは前記バスバー電極の長手方向に直交する方向に交互に配列され、
前記インターコネクタは、前記インターコネクタの長手方向に垂直な断面の断面積が局所的に小さくなっている複数の小断面積部と、前記小断面積部の間に位置する非小断面積部と、を有しており、
前記小断面積部は前記第１非接続部に配置されていることを特徴とする、インターコネクタ付き太陽電池。
【請求項２】
インターコネクタに接続するための第１接続部とインターコネクタに接続されない第１非接続部とからなるバスバー電極と、前記バスバー電極から伸びるフィンガー電極と、を半導体基板の第１主面上に備え、前記半導体基板の前記第１主面とは反対側の第２主面上にインターコネクタに接続するための第２接続部とインターコネクタに接続されない第２非接続部とからなる裏面電極を備えた太陽電池を含み、前記太陽電池の前記第２接続部にインターコネクタが接続されたインターコネクタ付き太陽電池であって、
前記裏面電極は前記第２接続部の間に前記第２非接続部が配置された構成を有しており、
前記第２接続部と前記第２非接続部とは前記裏面電極の長手方向に直交する方向に交互に配列され、
前記インターコネクタは、前記インターコネクタの長手方向に垂直な断面の断面積が局所的に小さくなっている複数の小断面積部と、前記小断面積部の間に位置する非小断面積部と、を有しており、
前記小断面積部は前記第２非接続部に配置されていることを特徴とする、インターコネクタ付き太陽電池。
【請求項３】
前記バスバー電極は前記第１接続部の間に前記第１非接続部が配置された構成を有しており、
前記第１接続部と前記第１非接続部とは前記バスバー電極の長手方向に直交する方向に交互に配列されていることを特徴とする、請求項２に記載のインターコネクタ付き太陽電池。
【請求項４】
前記第１接続部および前記第２接続部はそれぞれ前記半導体基板に関して互いに対称となる位置に形成されていることを特徴とする、請求項２または３に記載のインターコネクタ付き太陽電池。
【請求項５】
インターコネクタに接続するための第１接続部とインターコネクタに接続されない第１非接続部とからなるバスバー電極と、前記バスバー電極から伸びるフィンガー電極と、を半導体基板の第１主面上に備えた太陽電池がインターコネクタにより複数接続されてなる太陽電池ストリングであって、
前記バスバー電極は前記第１接続部の間に前記第１非接続部が配置された構成を有しており、
前記第１接続部と前記第１非接続部とは前記バスバー電極の長手方向に直交する方向に交互に配列され、
前記インターコネクタは、前記インターコネクタの長手方向に垂直な断面の断面積が局所的に小さくなっている複数の小断面積部と、前記小断面積部の間に位置する非小断面積部と、を有しており、
前記小断面積部は前記第１非接続部に配置されていることを特徴とする、太陽電池ストリング。
【請求項６】
インターコネクタに接続するための第１接続部とインターコネクタに接続されない第１非接続部とからなるバスバー電極と、前記バスバー電極から伸びるフィンガー電極と、を半導体基板の第１主面上に備え、前記半導体基板の前記第１主面とは反対側の第２主面上にインターコネクタに接続するための第２接続部とインターコネクタに接続されない第２非接続部とからなる裏面電極を備えた太陽電池がインターコネクタにより複数接続されてなる太陽電池ストリングであって、
前記裏面電極は前記第２接続部の間に前記第２非接続部が配置された構成を有しており、
前記第２接続部と前記第２非接続部とは前記裏面電極の長手方向に直交する方向に交互に配列され、
前記インターコネクタは、前記インターコネクタの長手方向に垂直な断面の断面積が局所的に小さくなっている複数の小断面積部と、前記小断面積部の間に位置する非小断面積部と、を有しており、
前記小断面積部は前記第２非接続部に配置されていることを特徴とする、太陽電池ストリング。
【請求項７】
前記バスバー電極は前記第１接続部の間に前記第１非接続部が配置された構成を有しており、
前記第１接続部と前記第１非接続部とは前記バスバー電極の長手方向に直交する方向に交互に配列されていることを特徴とする、請求項６に記載の太陽電池ストリング。
【請求項８】
前記第１接続部および前記第２接続部はそれぞれ前記半導体基板に関して互いに対称となる位置に形成されていることを特徴とする、請求項６または７に記載の太陽電池ストリング。
【請求項９】
請求項５から８のいずれかに記載の太陽電池ストリングを含む、太陽電池モジュール。
【発明の詳細な説明】
【技術分野】
【０００１】
本発明は、インターコネクタ付き太陽電池、太陽電池ストリングおよび太陽電池モジュールに関する。
【背景技術】
【０００２】
太陽光エネルギを直接電気エネルギに変換する太陽電池は、近年、特に地球環境問題の観点から、次世代のエネルギ源としての期待が急激に高まっている。太陽電池としては、化合物半導体または有機材料を用いたものなど様々な種類があるが、現在、主流となっているのは、シリコン結晶を用いたものである。
【０００３】
図１０に、従来の太陽電池の一例の模式的な断面図を示す。ここで、太陽電池においては、ｐ型シリコン基板１０の受光面にｎ+層１１が形成されることによって、ｐ型シリコン基板１０とｎ+層１１とによりｐｎ接合が形成されており、ｐ型シリコン基板１０の受光面上には反射防止膜１２および銀電極１３がそれぞれ形成されている。また、ｐ型シリコン基板１０の受光面と反対側の裏面にはｐ+層１５が形成されている。そして、ｐ型シリコン基板１０の裏面上にはアルミニウム電極１４および銀電極１６がそれぞれ形成されている。ここで、ｐ型シリコン基板１０の受光面上の銀電極１３は、インターコネクタに接続するためのバスバー電極とバスバー電極から伸びるフィンガー電極とからなる。また、ｐ型シリコン基板１０の裏面上の銀電極１６は、インターコネクタに接続するための裏面電極となる。
【０００４】
図１１（ａ）〜（ｉ）に、従来の太陽電池の製造方法の一例を示す。まず、図１１（ａ）に示すように、ｐ型シリコン結晶の原料を坩堝で溶解した後に再結晶化して得られたシリコンインゴッド１７をシリコンブロック１８に切断する。次に、図１１（ｂ）に示すように、シリコンブロック１８をワイヤソーで切断することにより、ｐ型シリコン基板１０が得られる。
【０００５】
次いで、アルカリまたは酸によってｐ型シリコン基板１０の表面をエッチングすることによって、図１１（ｃ）に示すｐ型シリコン基板１０のスライス時のダメージ層１９を除去する。このとき、エッチング条件を調整すると、ｐ型シリコン基板１０の表面に微小な凹凸（図示せず）を形成することができる。この凹凸により、ｐ型シリコン基板１０の表面に入射する太陽光の反射が低減されて、太陽電池の変換効率を高めることができる。
【０００６】
続いて、図１１（ｄ）に示すように、ｐ型シリコン基板１０の一方の主面（以下、「第１主面」という）上にリンを含む化合物を含有したドーパント液２０を塗布する。そして、ドーパント液２０の塗布後のｐ型シリコン基板１０を８００℃〜９５０℃の温度で５〜３０分間熱処理することによりｐ型シリコン基板１０の第１主面にｎ型ドーパントであるリンが拡散して、図１１（ｅ）に示すように、ｐ型シリコン基板１０の第１主面にｎ+層１１が形成される。なお、ｎ+層１１の形成方法としては、ドーパント液を塗布する方法以外にも、Ｐ2Ｏ5やＰＯＣｌ3を用いた気相拡散による方法がある。
【０００７】
次いで、リンの拡散時にｐ型シリコン基板１０の第１主面に形成されるガラス層を酸処理により除去した後、図１１（ｆ）に示すように、ｐ型シリコン基板１０の第１主面上に反射防止膜１２を形成する。反射防止膜１２の形成方法としては、常圧ＣＶＤ法を用いて酸化チタン膜を形成する方法やプラズマＣＶＤ法を用いて窒化シリコン膜を形成する方法などが知られている。また、ドーパント液を塗布する方法によりリンを拡散する場合には、リンに加えて反射防止膜１２の材料も含ませたドーパント液を用いることによって、ｎ+層１１と反射防止膜１２とを同時に形成することもできる。また、反射防止膜１２の形成は、銀電極の形成後に行なう場合もある。
【０００８】
そして、図１１（ｇ）に示すように、ｐ型シリコン基板１０の他方の主面（以下、「第２主面」という）上にアルミニウム電極１４を形成するとともにｐ型シリコン基板１０の第２主面にｐ+層１５を形成する。アルミニウム電極１４およびｐ+層１５は、たとえば、アルミニウム粉末、ガラスフリット、樹脂および有機溶剤からなるアルミニウムペーストをスクリーン印刷などにより印刷した後に、ｐ型シリコン基板１０を熱処理することによって、アルミニウムが溶融してシリコンと合金化することにより形成されたアルミニウム−シリコン合金層下にｐ+層１５が形成されるとともに、ｐ型シリコン基板１０の第２主面上にアルミニウム電極１４が形成される。また、ｐ型シリコン基板１０とｐ+層１５のドーパント濃度差が、ｐ型シリコン基板１０とｐ+層１５の界面に電位差（電位障壁として働く）をもたらし、光生成されたキャリアがｐ型シリコン基板１０の第２主面付近で再結合するのを防いでいる。これにより、太陽電池の短絡電流（Ｉｓｃ：short circuit current）および開放電圧（Ｖｏｃ：open circuit voltage）が共に向上する。
【０００９】
その後、図１１（ｈ）に示すように、ｐ型シリコン基板１０の第２主面上に銀電極１６を形成する。銀電極１６は、たとえば、銀粉末、ガラスフリット、樹脂および有機溶剤からなる銀ペーストをスクリーン印刷などにより印刷した後に、ｐ型シリコン基板１０を熱処理することによって得ることができる。
【００１０】
そして、図１１（ｉ）に示すように、ｐ型シリコン基板１０の第１主面上に銀電極１３を形成する。銀電極１３は、ｐ型シリコン基板１０との接触抵抗を含む直列抵抗を低く抑えるとともに銀電極１３の形成面積を少なくして太陽光の入射量を減少させないようにするため、銀電極１３の線幅、ピッチおよび厚さなどのパターン設計が重要である。たとえば、特許文献１に開示されているように、バスバー電極を厚く形成するためにバスバー電極にスリットを設ける場合もある。銀電極１３の形成方法としては、たとえば、反射防止膜１２の表面上に銀粉末、ガラスフリット、樹脂および有機溶剤からなる銀ペーストをスクリーン印刷などにより印刷した後に、ｐ型シリコン基板１０を熱処理することによって、銀ペーストが反射防止膜１２を貫通してｐ型シリコン基板１０の第１主面と良好な電気的接触が可能なファイアスルー方式が量産ラインで用いられている。
【００１１】
以上のようにして、図１０に示す構成の太陽電池を製造することができる。なお、銀電極１３および銀電極１６の形成後のｐ型シリコン基板１０を溶融半田槽に浸漬することによって銀電極１３および銀電極１６の表面に半田をコーティングすることもできる。この半田のコーティングは、プロセスによっては省略される場合もある。また、上記のようにして製造された太陽電池にソーラシミュレータを用いて擬似太陽光を照射し、太陽電池の電流−電圧（ＩＶ）特性を測定してＩＶ特性を検査することもできる。
【００１２】
太陽電池は、その複数が直列に接続されて太陽電池ストリングとされた後、太陽電池ストリングを封止材によって封止して太陽電池モジュールとして販売および使用されることが多い。
【００１３】
図１２（ａ）〜（ｅ）に、従来の太陽電池モジュールの製造方法の一例を示す。まず、図１２（ａ）に示すように、上記のようにして製造された太陽電池の第１主面の銀電極上に導電性部材であるインターコネクタ３１を接続して、インターコネクタ付き太陽電池３０を作製する。
【００１４】
次に、図１２（ｂ）に示すように、インターコネクタ付き太陽電池３０を一列に配列し、インターコネクタ付き太陽電池３０の第１主面の銀電極に接続されているインターコネクタ３１の他端を他のインターコネクタ付き太陽電池３０の第２主面の銀電極に接続して、太陽電池ストリング３４を作製する。
【００１５】
次いで、図１２（ｃ）に示すように、太陽電池ストリングを並べて、太陽電池ストリングの両端から突出しているインターコネクタ３１と、他の太陽電池ストリングの両端から突出しているインターコネクタ３１とを導電性部材である配線材３３を用いて直列に接続することによって、太陽電池ストリング同士を互いに接続する。
【００１６】
続いて、図１２（ｄ）に示すように、接続された太陽電池ストリング３４を封止材としてのＥＶＡ（エチレンビニルアセテート）フィルム３６で挟み込み、その後、ガラス板３５とバックフィルム３７との間に挟む。そして、ＥＶＡフィルム３６間に入った気泡を減圧して抜き、加熱すると、ＥＶＡフィルム３６が硬化して、太陽電池ストリングがＥＶＡ中に封止される。これにより、太陽電池モジュールが作製される。
【００１７】
その後、図１２（ｅ）に示すように、太陽電池モジュールは、アルミニウム枠４０内に配置され、ケーブル３９を備えた端子ボックス３８が太陽電池モジュールに取り付けられる。そして、上記のようにして製造された太陽電池モジュールにソーラシミュレータを用いて擬似太陽光を照射し、太陽電池の電流−電圧（ＩＶ）特性を測定してＩＶ特性が検査される。
【特許文献１】特開２００１−４４４５９号公報
【特許文献２】特開２００５−１４２２８２号公報
【発明の開示】
【発明が解決しようとする課題】
【００１８】
太陽光発電システムが急速に普及するにつれ、太陽電池の製造コストの低減は必要不可欠となっている。太陽電池の製造コストの低減において、半導体基板であるシリコン基板の大型化および薄型化は非常に有効な手段である。しかしながら、シリコン基板の大型化および薄型化に伴い、太陽電池ストリングを形成する際、太陽電池の受光面のバスバー電極と銅からなるインターコネクタとを半田などによって固定して接続する加熱工程後の冷却工程において、太陽電池のシリコン基板とインターコネクタとの熱膨張係数差（シリコンの熱膨張係数３．５×１０-6／Ｋに対し、銅は１７．６×１０-6／Ｋであり５倍程度の差がある）により、太陽電池に反りが生じるという問題があった。
【００１９】
これは、上記の加熱工程において、太陽電池とインターコネクタとを固定した後、加熱状態にあった太陽電池とインターコネクタとを室温まで冷却すると、インターコネクタが太陽電池よりも大きく収縮するため、太陽電池に凹状の反りが発生したものと考えられる。太陽電池に生じた反りは、自動化された太陽電池モジュールの作製ラインの搬送系において搬送エラーや太陽電池の割れを引き起こす原因となる。また、太陽電池ストリングを構成する太陽電池に反りが生じている場合には、太陽電池ストリングの形成工程や太陽電池モジュールの作製のための封止材による封止工程などにおいて太陽電池に局部的に強い力が加わり、太陽電池に割れが生じる原因となる。
【００２０】
そこで、特許文献２には、隣接する太陽電池を接続するインターコネクタに断面積が局部的に縮小された小断面積部を設ける方法が開示されている。上述したように、上記の加熱工程により加熱状態にあったインターコネクタおよび太陽電池は室温まで冷却する際に太陽電池に凹状の反りが発生する。その際、太陽電池には元の形状に戻ろうとする力（復元力）が発生し、この復元力はインターコネクタに対して引張り応力を加える。特許文献２に開示された方法によれば、インターコネクタに引張り応力が加えられたときに他の部分と比べて比較的強度の弱い小断面積部が延伸して、太陽電池の反りを低減することができる。
【００２１】
特許文献２に記載のインターコネクタを用いて図１３に示す受光面および図１４に示す裏面を有する太陽電池を接続した太陽電池ストリングの一例の模式的な断面図を図１５に示し、図１５に示した太陽電池ストリングの受光面の模式的な平面図を図１６に示す。
【００２２】
ここで、図１３に示すように、太陽電池の受光面の銀電極１３は、比較的幅の大きい１本の線状のバスバー電極１３ａとバスバー電極１３ａから伸びる比較的幅の小さい複数の線状のフィンガー電極１３ｂと、から構成されている。また、バスバー電極１３ａはインターコネクタに固定して接続するための線状の第１接続部５１と、インターコネクタに接続されない空隙である第１非接続部４２とからなっており、第１接続部５１と第１非接続部４２とがバスバー電極１３ａの長手方向に沿って交互に配列されている。
【００２３】
また、図１４に示すように、アルミニウム電極１４はｐ型シリコン基板１０の第２主面のほぼ全面に形成されており、銀電極１６はｐ型シリコン基板１０の第２主面の一部のみに形成されている。ここで、銀電極１６はインターコネクタに固定して接続するための第２接続部となり、銀電極１６の間に位置するアルミニウム電極１４はインターコネクタに接続されない第２非接続部１４ａとなる。そして、第２接続部としての銀電極１６と第２非接続部１４ａとから裏面電極６０が形成されている。なお、半導体基板としてのｐ型シリコン基板１０の第２主面は、半導体基板としてのｐ型シリコン基板１０の第１主面の反対側の主面となる。
【００２４】
また、図１５に示すように、特許文献２に記載のインターコネクタを用いた太陽電池ストリングにおいては、太陽電池の受光面の第１接続部５１に半田などによって固定されて接続されたインターコネクタ３１が、隣接する他の太陽電池の裏面の銀電極１６に半田などによって固定されて接続されている。なお、図１５においては、ｎ+層とｐ+層の記載は省略されている。
【００２５】
また、図１５および図１６に示すように、インターコネクタ３１の小断面積部４１は、太陽電池の第１非接続部４２および第２非接続部１４ａにそれぞれ配置されており、インターコネクタ３１の小断面積部４１は半田などによって固定されていない。したがって、インターコネクタ３１に引張り応力が加えられたときに他の部分と比べて比較的強度の弱い小断面積部４１が自由に延伸することができるために、太陽電池の反りを低減することができる。
【００２６】
しかしながら、上記の方法では、インターコネクタ３１を太陽電池に接続する際に、インターコネクタ３１の小断面積部４１と太陽電池の受光面の第１非接続部４２および裏面の第２非接続部１４ａとを厳密に位置合わせをして接続する必要があるため、工程数が増加し、生産性が低下するという問題があった。また、インターコネクタ３１の小断面積部４１と太陽電池の受光面の第１非接続部４２および裏面の第２非接続部１４ａとがずれて接続されると、太陽電池の反り低減の効果が十分に得られないという問題があった。
【００２７】
そこで、本発明の目的は、工程数を増加させることなく太陽電池の反りを低減することができるインターコネクタ付き太陽電池および太陽電池ストリング、ならびに太陽電池モジュールを提供することにある。
【課題を解決するための手段】
【００２８】
本発明は、インターコネクタに接続するための第１接続部とインターコネクタに接続されない第１非接続部とからなるバスバー電極と、バスバー電極から伸びるフィンガー電極と、を半導体基板の第１主面上に備えた太陽電池を含み、太陽電池の第１接続部にインターコネクタが接続されたインターコネクタ付き太陽電池であって、バスバー電極は第１接続部の間に第１非接続部が配置された構成を有しており、第１接続部と第１非接続部とはバスバー電極の長手方向に直交する方向に交互に配列され、インターコネクタは、インターコネクタの長手方向に垂直な断面の断面積が局所的に小さくなっている複数の小断面積部と、小断面積部の間に位置する非小断面積部と、を有しており、小断面積部は第１非接続部に配置されているインターコネクタ付き太陽電池である。
【００２９】
また、本発明は、インターコネクタに接続するための第１接続部とインターコネクタに接続されない第１非接続部とからなるバスバー電極と、バスバー電極から伸びるフィンガー電極と、を半導体基板の第１主面上に備え、半導体基板の第１主面とは反対側の第２主面上にインターコネクタに接続するための第２接続部とインターコネクタに接続されない第２非接続部とからなる裏面電極を備えた太陽電池を含み、太陽電池の第２接続部にインターコネクタが接続されたインターコネクタ付き太陽電池であって、裏面電極は第２接続部の間に第２非接続部が配置された構成を有しており、第２接続部と第２非接続部とは裏面電極の長手方向に直交する方向に交互に配列され、インターコネクタは、インターコネクタの長手方向に垂直な断面の断面積が局所的に小さくなっている複数の小断面積部と、小断面積部の間に位置する非小断面積部と、を有しており、小断面積部は第２非接続部に配置されているインターコネクタ付き太陽電池である。ここで、バスバー電極は第１接続部の間に第１非接続部が配置された構成を有していてもよく、第１接続部と第１非接続部とはバスバー電極の長手方向に直交する方向に交互に配列されていてもよい。また、第１接続部および第２接続部はそれぞれ半導体基板に関して互いに対称となる位置に形成されていることが好ましい。
【００３０】
また、本発明は、インターコネクタに接続するための第１接続部とインターコネクタに接続されない第１非接続部とからなるバスバー電極と、バスバー電極から伸びるフィンガー電極と、を半導体基板の第１主面上に備えた太陽電池がインターコネクタにより複数接続されてなる太陽電池ストリングであって、バスバー電極は第１接続部の間に第１非接続部が配置された構成を有しており、第１接続部と第１非接続部とはバスバー電極の長手方向に直交する方向に交互に配列され、インターコネクタは、インターコネクタの長手方向に垂直な断面の断面積が局所的に小さくなっている複数の小断面積部と、小断面積部の間に位置する非小断面積部と、を有しており、小断面積部は第１非接続部に配置されている太陽電池ストリングである。
【００３１】
また、本発明は、インターコネクタに接続するための第１接続部とインターコネクタに接続されない第１非接続部とからなるバスバー電極と、バスバー電極から伸びるフィンガー電極と、を半導体基板の第１主面上に備え、半導体基板の第１主面とは反対側の第２主面上にインターコネクタに接続するための第２接続部とインターコネクタに接続されない第２非接続部とからなる裏面電極を備えた太陽電池がインターコネクタにより複数接続されてなる太陽電池ストリングであって、裏面電極は第２接続部の間に第２非接続部が配置された構成を有しており、第２接続部と第２非接続部とは裏面電極の長手方向に直交する方向に交互に配列され、インターコネクタは、インターコネクタの長手方向に垂直な断面の断面積が局所的に小さくなっている複数の小断面積部と、小断面積部の間に位置する非小断面積部と、を有しており、小断面積部は第２非接続部に配置されている太陽電池ストリングである。ここで、バスバー電極は第１接続部の間に第１非接続部が配置された構成を有していてもよく、第１接続部と第１非接続部とはバスバー電極の長手方向に直交する方向に交互に配列されていてもよい。また、第１接続部および第２接続部はそれぞれ半導体基板に関して互いに対称となる位置に形成されていることが好ましい。
【００３２】
さらに、本発明は、上記のいずれかに記載の太陽電池ストリングを含む、太陽電池モジュールである。
【発明の効果】
【００３３】
本発明によれば、工程数を増加させることなく太陽電池の反りを低減することができるインターコネクタ付き太陽電池および太陽電池ストリング、ならびに太陽電池モジュールを提供することができる。
【発明を実施するための最良の形態】
【００３４】
以下、本発明の実施の形態について説明する。なお、本発明の図面において、同一の参照符号は、同一部分または相当部分を表わすものとする。
【００３５】
図１に、本発明に用いられる太陽電池の受光面の好ましい一例の模式的な平面図を示す。ここで、本発明の太陽電池の受光面となるｐ型シリコン基板１０の第１主面においては、紙面の左右方向に伸びる比較的幅の広い線状のバスバー電極１３ａと、バスバー電極１３ａから紙面の上下方向に伸びる複数の幅の狭い線状のフィンガー電極１３ｂと、が備えられている。また、バスバー電極１３ａは、インターコネクタに固定して接続するための銀電極からなる第１接続部５１と、インターコネクタに接続されない空隙である第１非接続部４２とから構成されている。ここで、バスバー電極１３ａは第１接続部５１の間に第１非接続部４２が配置された構成を有しており、第１接続部５１と第１非接続部４２とはバスバー電極１３ａの長手方向に直交する方向に交互に配列されている。
【００３６】
図２に、図１に示す太陽電池の裏面の好ましい一例の模式的な平面図を示す。ここで、本発明の太陽電池の裏面となるｐ型シリコン基板１０の第２主面の略全面にはアルミニウム電極１４が形成されており、紙面の左右方向に伸びるように銀電極１６が形成されている。ここで、銀電極１６はインターコネクタに固定して接続するための第２接続部となり、２本の銀電極１６の間に配置されているアルミニウム電極１４はインターコネクタに接続されない第２非接続部１４ａとなる。また、第２接続部としての銀電極１６と第２非接続部１４ａとから裏面電極６０が構成されている。ここで、裏面電極６０は、第２接続部としての銀電極１６の間に第２非接続部１４ａが配置された構成を有しており、第２接続部としての銀電極１６と第２非接続部１４ａとは裏面電極６０の長手方向に直交する方向に交互に配列されている。
【００３７】
図３に、図１に示す受光面および図２に示す裏面を有する太陽電池の模式的な断面図を示す。図３は、太陽電池のバスバー電極の長手方向に直交する方向に沿った断面の一例を模式的に示している。ここで、図３に示すように、第１接続部５１および第２接続部としての銀電極１６はそれぞれ半導体基板としてのｐ型シリコン基板１０に関して互いに対称となる位置に形成されている。
【００３８】
図４に、本発明に用いられるインターコネクタの好ましい一例の模式的な平面図を示す。ここで、インターコネクタ３１は、インターコネクタ３１の長手方向に垂直な断面の断面積が局所的に小さくなっている複数の小断面積部４１と、小断面積部４１の間に位置する非小断面積部６１とを有している。なお、本発明において、インターコネクタは、導電性を有する部材であって、その長手方向に垂直な断面の断面積が局所的に小さくなっている複数の小断面積部と、小断面積部の間に位置する非小断面積部とを有していれば、その形状および材質は特に限定されない。また、本発明において、インターコネクタの非小断面積部は、インターコネクタの長手方向に垂直な断面の断面積が小断面積部と比べて大きくなっている。
【００３９】
図５（ａ）に、本発明のインターコネクタ付き太陽電池の好ましい一例の模式的な平面図を示す。ここで、本発明のインターコネクタ付き太陽電池は、図１に示す受光面および図２に示す裏面を有する太陽電池の受光面の第１接続部５１に図４に示すインターコネクタ３１が固定されて接続された構成となっている。図５（ａ）に示す本発明のインターコネクタ付き太陽電池においては、たとえば図５（ｂ）の模式的拡大平面図に示すように、インターコネクタ３１の小断面積部４１が受光面の第１非接続部４２に配置されるようにインターコネクタ３１が接続されている。
【００４０】
図６（ａ）に、本発明のインターコネクタ付き太陽電池の好ましい他の一例の模式的な平面図を示す。ここで、本発明のインターコネクタ付き太陽電池は、図１に示す受光面および図２に示す裏面を有する太陽電池の裏面の第２接続部としての銀電極１６に図４に示すインターコネクタ３１が固定されて接続された構成となっている。図６（ａ）に示す本発明のインターコネクタ付き太陽電池においては、たとえば図６（ｂ）の模式的拡大平面図に示すように、インターコネクタ３１の小断面積部４１が裏面の第２非接続部１４ａに配置されるようにインターコネクタ３１が接続されている。
【００４１】
このように、本発明のインターコネクタ付き太陽電池においては、インターコネクタ３１の他の部分と比べて比較的強度が弱い小断面積部４１が第１非接続部４２または第２非接続部１４ａに配置されており、小断面積部４１は固定されずにフリーな状態となっていることから、その小断面積部４１が自由に変形して応力を緩和することにより太陽電池の反りを低減することができる。
【００４２】
また、本発明のインターコネクタ付き太陽電池において、インターコネクタ３１と太陽電池との接続部である第１接続部５１と第２接続部としての銀電極１６が太陽電池の受光面および裏面でそれぞれ半導体基板としてのｐ型シリコン基板１０に関して対称な位置に形成されている場合には、インターコネクタ３１と太陽電池のｐ型シリコン基板との熱膨張係数差に起因して発生する応力が太陽電池の受光面と裏面とでほぼ等しくなり、太陽電池の受光面および裏面のそれぞれから等しい力が太陽電池に働くことになるため、太陽電池に生じる反りをさらに低減することができる。
【００４３】
さらに、本発明のインターコネクタ付き太陽電池の製造に際しては、太陽電池の第１非接続部４２および第２非接続部１４ａがそれぞれバスバー電極１３ａおよび裏面電極６０の長手方向に連続的に形成されていることから、インターコネクタ３１の小断面積部４１と太陽電池の第１非接続部４２または第２非接続部１４ａとの厳密な位置合わせをすることなく、インターコネクタ３１を接続することができる。
【００４４】
したがって、本発明のインターコネクタ付き太陽電池においては、工程数を増加させることなく太陽電池の反りを低減することができる。
【００４５】
また、本発明のインターコネクタ付き太陽電池においては、インターコネクタ３１の小断面積部４１の数を増加または減少させる必要が生じた場合でも本発明のインターコネクタ付き太陽電池の受光面および／または裏面の電極形状を変更せずに、インターコネクタ３１の小断面積部４１の数の変更に対応することができる。
【００４６】
図７に、本発明の太陽電池ストリングの好ましい他の一例の模式的な断面図を示す。ここで、太陽電池ストリングは、図５（ａ）または図６（ａ）に示す本発明のインターコネクタ付き太陽電池が複数接続されることによって構成されている。すなわち、隣接する本発明のインターコネクタ付き太陽電池において、インターコネクタ付き太陽電池同士を接続するインターコネクタ３１の一端は第１のインターコネクタ付き太陽電池８０の裏面の第２接続部としての銀電極１６に接続され、インターコネクタ３１の他端は第２のインターコネクタ付き太陽電池８１の受光面の第１接続部５１に接続されている。
【００４７】
図８に、図７に示す本発明の太陽電池ストリングの受光面の模式的な平面図を示す。また、図９に、図７に示す本発明の太陽電池ストリングの裏面の模式的な平面図を示す。ここで、図８および図９に示す本発明の太陽電池ストリングにおいては、インターコネクタ３１は、インターコネクタ３１の小断面積部４１がそれぞれ、太陽電池の受光面の第１非接続部４２および裏面の第２非接続部１４ａに配置されるように接続されている。
【００４８】
このように、本発明の太陽電池ストリングにおいては、インターコネクタ３１の他の部分と比べて比較的強度が弱い小断面積部４１が第１非接続部４２および第２非接続部１４ａに配置されており、小断面積部４１は固定されずにフリーな状態となっていることから、その小断面積部４１が自由に変形して応力を緩和することにより太陽電池の反りを低減することができる。
【００４９】
また、本発明の太陽電池ストリングにおいて、インターコネクタ３１と太陽電池との接続部である第１接続部５１と第２接続部としての銀電極１６が太陽電池の受光面および裏面でそれぞれ半導体基板としてのｐ型シリコン基板１０に関して対称な位置に形成されている場合には、インターコネクタ３１と太陽電池のｐ型シリコン基板との熱膨張係数差に起因して発生する応力が太陽電池の受光面と裏面とでほぼ等しくなり、太陽電池の受光面および裏面のそれぞれから等しい力が太陽電池に働くことになるため、太陽電池に生じる反りをさらに低減することができる。
【００５０】
さらに、本発明の太陽電池ストリングの製造に際しては、太陽電池の第１非接続部４２および第２非接続部１４ａがそれぞれバスバー電極１３ａおよび裏面電極６０の長手方向に連続的に形成されていることから、インターコネクタ３１の小断面積部４１と太陽電池の第１非接続部４２または第２非接続部１４ａとの厳密な位置合わせをすることなく、インターコネクタ３１を接続することができる。
【００５１】
したがって、本発明の太陽電池ストリングにおいては、工程数を増加させることなく太陽電池の反りを低減することができる。
【００５２】
また、本発明の太陽電池ストリングにおいては、インターコネクタ３１の小断面積部４１の数を増加または減少させる必要が生じた場合でも太陽電池の受光面および／または裏面の電極形状を変更せずに、インターコネクタ３１の小断面積部４１の数の変更に対応することができる。
【００５３】
このような本発明の太陽電池ストリングを従来から公知の方法によりＥＶＡなどの封止材に封止することによって、本発明の太陽電池モジュールを得ることができる。
【００５４】
なお、上記の以外の説明は、上記の背景技術の欄における説明と同様であるが、その説明に限定されるものではない。たとえば、本発明においては、ｐ型シリコン基板以外の半導体基板を用いてもよく、上記の背景技術の欄の説明のｐ型とｎ型の導電型を入れ替えてもよい。また、本発明においては、第１接続部および第２接続部は必ずしも銀電極である必要はなく、第１非接続部は空隙である必要はなく、第２非接続部はアルミニウム電極からなっている必要はない。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５６】
本発明によれば、工程数を増加させることなく太陽電池の反りを低減することができるインターコネクタ付き太陽電池および太陽電池ストリング、ならびに太陽電池モジュールを提供することができる。
【図面の簡単な説明】
【００５７】
【図１】本発明に用いられる太陽電池の受光面の好ましい一例の模式的な平面図である。
【図２】図１に示す太陽電池の裏面の好ましい一例の模式的な平面図である。
【図３】図１に示す受光面および図２に示す裏面を有する太陽電池の模式的な断面図である。
【図４】本発明に用いられるインターコネクタの好ましい一例の模式的な平面図である。
【図５】（ａ）は本発明のインターコネクタ付き太陽電池の好ましい一例の模式的な平面図であり、（ｂ）は（ａ）に示す第１非接続部近傍の模式的な拡大平面図である。
【図６】（ａ）は本発明のインターコネクタ付き太陽電池の好ましい他の一例の模式的な平面図であり、（ｂ）は（ａ）に示す第２非接続部近傍の模式的な拡大平面図である。
【図７】本発明の太陽電池ストリングの好ましい他の一例の模式的な断面図である。
【図８】図７に示す本発明の太陽電池ストリングの受光面の模式的な平面図である。
【図９】図７に示す本発明の太陽電池ストリングの裏面の模式的な平面図である。
【図１０】従来の太陽電池の一例の模式的な断面図である。
【図１１】従来の太陽電池の製造方法の一例を示す図である。
【図１２】従来の太陽電池モジュールの製造方法の一例を示す図である。
【図１３】従来の太陽電池の受光面の模式的な平面図である。
【図１４】従来の太陽電池の裏面の模式的な平面図である。
【図１５】図１３に示す受光面および図１４に示す裏面を有する太陽電池を接続した太陽電池ストリングの一例の模式的な断面図である。
【図１６】図１５に示した太陽電池ストリングの受光面の模式的な拡大平面図である。
【符号の説明】
【００５８】
１０  ｐ型シリコン基板、１１  ｎ+層、１２  反射防止膜、１３，１６  銀電極、１
３ａ  バスバー電極、１３ｂ  フィンガー電極、１４  アルミニウム電極、１４ａ  第２非接続部、１５  ｐ+層、１７  シリコンインゴッド、１８  シリコンブロック、２０  ドーパント液、３０  太陽電池、３１  インターコネクタ、３３  配線材、３４  太陽電池ストリング、３５  ガラス板、３６  ＥＶＡフィルム、３７  バックフィルム、３８  端子ボックス、３９  ケーブル、４０  アルミニウム枠、４１  小断面積部、４２  第１非接続部、５１  第１接続部、６０  裏面電極、６１  非小断面積部、８０  第１の太陽電池、８１  第２の太陽電池。
【図１】
2007250623.tif 000003
【図２】
2007250623.tif 000004
【図３】
2007250623.tif 000005
【図４】
2007250623.tif 000006
【図５】
2007250623.tif 000007
【図６】
2007250623.tif 000008
【図７】
2007250623.tif 000009
【図８】
2007250623.tif 000010
【図９】
2007250623.tif 000011
【図１０】
2007250623.tif 000012
【図１１】
2007250623.tif 000013
【図１２】
2007250623.tif 000014
【図１３】
2007250623.tif 000015
【図１４】
2007250623.tif 000016
【図１５】
2007250623.tif 000017
【図１６】
2007250623.tif 000018